(57)【要約】【課題】観葉植物や盆栽などの物品を取り付け取り外し可能なクリップ型ランプでライトアップし、また、その後部面がデザインされた壁で物品を総合演出できる容器を提供することにある。【解決手段】装飾品（観葉植物等）を載置する容器と、載置された装飾品を上部から照らすクリップ型ランプ１１、１２が掴むためのランプ取り付けクリップ用板状部６を有し、背景的装飾施工されている後部壁２を有する。このクリップ用板状部６は、クリップ型ランプ１１，１２を取り付けて電源を供給することにより物品をライトアップすることができる。また、後部壁２に背景的装飾を設けることによってクリップ装着部６、１０を正面から見えなくすることができるので物品を総合的により美しく演出できる。【選択図】図５
2019129814.tif 000002
【特許請求の範囲】
【請求項１】
観葉植物などの装飾品を入れてインテリアを構成する鉢であって、後壁部とこの後壁部の前側に設けられ、後壁部とともに環状壁部を構成するための前側壁部と、この環状壁部に設けられた底部とを備え、前記後壁部は、上方向に向かって後側に傾斜していて、かつ前側壁部より高い壁となっている飾り鉢。
【請求項２】
前記後壁部の外面には、ランプ用クリップで掴むためのランプ取り付け部が設けられ、このランプ取り付け部は、鉢の倒れ防止部を有していることを特徴とする請求項１の飾り鉢。
【請求項３】
前記ランプ取り付け部に取り付けられたランプを、備え、このランプは、フレキシブルの細長い首部と、首部の先端に設けられているランプ部と、前記首部の基端に設けられたランプ用クリップを有し、前記ランプは前記ランプ用クリップで前記ランプ取り付け部を挟むことにより取り付けられている、ことを特徴とする請求項２の飾り鉢。
【請求項４】
前記後壁部には、ステンドグラス等を使い背景的装飾が施工されていることにより後壁部が際立つことができる請求項１、２又は、３記載の飾り鉢。
【請求項５】
前記ランプの前記首部は、２頭型であることを特徴とする請求項３の飾り鉢。
【発明の詳細な説明】
【技術分野】
【０００１】  本発明は、観葉植物等の装飾品を入れて構成する鉢状の容器としての飾り鉢に関する。
【背景技術】
【０００２】  この種の飾り鉢は公知である（例えば特許文献１のプライヤー参照）。
【先行技術文献】
【特許文献】
【０００３】
【特許文献１】特開２００４−３５５９７０（Ｐ２００４−３５５９７Ａ）
【発明の概要】
【発明が解決しようとする課題】
【０００４】  上記のプライヤーによれば、環状ランプのみで物品をライトアップし際立たせており、多くのユーザーから好評を博している。しかしながら、問題がないわけではない。まずは、周囲には細い線上の支柱が４本配置されているだけなので変化に乏しい。【０００５】  また、環状ランプを収納したランプ収納笠とランプ収納笠を保持する複数本の支柱を有するため、ランプとランプ収納笠の取り外しが一体でできない構造体となっているのでランプ部が取り外せない制約を受ける。【０００６】  また、支柱のため壁面構造と違い背景的装飾ができないことと、底部にインバーターを内蔵しているため防水機構をとっており複雑な機構をとっている。【０００７】  本発明は、飾り鉢自体を装飾品と際立たせる形状に構成することを目的とする。本発明は更に、飾り鉢にクリップ式着脱型のランプを装着することにより容易にライトアップすることができることと後部壁面構造での背景的装飾を施すことにより観葉植物等を二重に際立させることができる管理が容易な飾り鉢をサプライヤーに提供することにある。【０００８】  また、２頭型フレキシブルランプを後壁部から当てることもでき、そうすることにより後壁部デザインを際立たせる事と共に幻想的な飾り鉢とすることもできる。
【課題を解決するための手段】
【０００８】  本発明の飾り鉢は、観葉植物などの装飾品を入れてインテリアを構成する鉢であって、後壁部とこの後壁部の前側に設けられ、後壁部とともに環状壁部を構成するための前側壁部と、この環状壁部に設けられた底部とを備え、前記後壁部は、上方向に向かって後側に傾斜していて、かつ前側壁部より高い壁となっている飾り鉢である。
また、後壁部の外面には、ランプ用クリップで掴むためのランプ取り付け部が設けられ、このランプ取り付け部は、鉢の倒れ防止部を有しているように構成できる。
さらに、ランプ取り付け部に取り付けられたランプを、備え、このランプは、フレキシブルの細長い首部と、首部の先端に設けられているランプ部と、前記首部の基端に設けられたランプ用クリップを有し、前記ランプは前記ランプ用クリップで前記ランプ取り付け部を挟むことにより取り付けられているといったようにも構成できる。
例えば、後壁部には、ステンドグラス等を使い背景的装飾が施工されていることにより後壁部が際立つことができるように構成する。【０００９】  また、２頭型フレキシブルランプで後壁部の背面からライトを当てることもでき後壁部デザインを際立たせることも選択できる。
【発明の効果】
【０００１０】  本発明は、公知の飾り鉢が全方位から見えるのに対し壁を作ることにより装飾品を際立つことができる。また、ランプを付けられる取り付け構造を作れば飾り品に光を当てて際立つことができる飾り鉢を提供できる。【００１１】  本発明に係る飾り鉢で、後壁部以外の半分の壁を有しその後壁部には倒れないようにするため補強構造を形成すれば、クリップ式着脱型のランプ自重により後ろ側に倒れないようにすることができる。【００１２】  本発明に係る飾り鉢後壁部には，背景的装飾を施すことによりインテリアの容器を提供できる【００１３】  本発明においては、後部補強体にクリップを挟める構造体とすることによりランプクリップを取り付け取り外せることができる。【００１４】  また、後部に倒れない構造体を組みつけた状態においてクリップを挟み込む形状を組み合わせることによりコストを低減できる。【００１５】  また、後壁部に背景的装飾を設けることによってインテリア容器としても使うことができる。【００１６】  また、２頭型フレキシブルランプを後壁部に当てることにより後壁部ステンドグラスなどが浮かび上がり幻想的な容器としても使うことができる。
【図面の簡単な説明】
【００１７】
【図１】  本発明に係る飾り鉢の平面図である。
【図２】  図１におけるＡ−Ａ断面図である。
【図３】  図１におけるＢ−Ｂ断面図である。
【図４】  図１におけるＣ−Ｃ断面図である。
【図５】  本発明に係る飾り鉢のランプを取り付けた断面を示す図である。
【図６】  本発明に係る飾り鉢のランプを取り付けた状態の平面図である。
【図７】  本発明に係る飾り鉢のランプを取り付けた状態の正面図である。
【図８】  本発明に係る飾り鉢のフレキシブルランプを後壁部に充てるよう取り付けた状態の断面図である。
【図９】  本発明に係る飾り鉢の２頭型フレキシブルランプを取り付けた状態の平面図である。
【図１０】  本発明に係る飾り鉢の２頭型フレキシブルランプを取り付けた状態の正面図である
【図１１】  本発明に係る飾り鉢の２頭型フレキシブルランプを後壁部に充てるよう取り付けた状態の断面図である。
【図１２】  本発明に係る飾り鉢の２頭型フレキシブルランプを後壁部に充てるよう取り付けた状態の平面図である。
【図１３】  本発明に係る飾り鉢の２頭型フレキシブルランプを一方は後壁部前側に当て、もう一方は後壁部後ろ側取り付けた状態の断面図である。
【発明を実施するための形態】
【００１８】  図１ないし図３は、本発明に係る飾り鉢の実施例を示す。図１において飾り鉢は半割形状で残り後部を壁構造で連結構成する。
【００１９】  飾り鉢１は、半分に平らな板状の後壁部２を有しその後壁部２に倒れない構造体３を構成する。その倒れない構造体３には、クリップを挟める形状とする。倒れない構造体３は、飾り鉢１の底部４を後壁部２の外側に延長したような補助底部５を有し、この補助底部５の外を端部から立ち上げるクリップ用板状部６を有していて、後壁部２とクリップ用板状部６との間に水平状の補強部７が形成されている。
【００２０】  前側環状部又は半環状部８は、ガラス製であり上方に向かって扇状に開くように形成されている。
【００２１】  後壁部２は、色ガラス製であり後方に少し倒れた壁でモザイクデザイン等９を施していると共にクリップ装着部６、１０を正面から見えなくすることができるのでよりスッキリしたモザイクデザイン９を主張できる。なお、この飾り鉢は、全体構造をプラスチック製とすることもできる。
【００２２】  図４ないし図６で示すようにクリップ用板状部６にクリップ型ランプのクリップを装着しフレキシブル首部１１の上部からのランプ１２により観葉植物等の装飾品をライトアップすることができる。
【００２３】  図５，６，７，８、９、１０、１１、１２、１３で示すようにクリップ用板状部６にクリップ型ランプのクリップを装着しフレキシブル首部１１の上部からのランプ１２により後壁部の前側、後ろ側、あるいは、その両方をライトアップできるように用いることができる。
【００２４】特に、図９ないし図１３は、フレキシブル首部１１が２頭型のものを示していて、図９及び図１０は、２頭のフレキシブル首部１１を左右対称に前側に位置させた場合を示している。図１１及び図１２は、２頭フレキシブル首部１１を左右対称に後ろ側に位置させた場合を示している。また、図１３は、２頭のフレキシブル首部１１を前側と後ろ側に一つずつ位置させた場合を示している。
【符号の説明】
【００２５】  １  飾り鉢
２  後部壁
３  後壁部の倒れない構造体
４  飾り鉢底部
５  後壁部の倒れない構造体底部
６  後壁部のクリップ用板状部
７  後壁部とクリップ用板状部との補強部分
８  前側環状部
９  前側環状部のデザイン模様
１０  クリップ型ランプのクリップ部
１１  クリップ型ランプのフレキシブル首部
１２  クリップ型ランプのランプ部
【図１】
2019129814.tif 000003
【図２】
2019129814.tif 000004
【図３】
2019129814.tif 000005
【図４】
2019129814.tif 000006
【図５】
2019129814.tif 000007
【図６】
2019129814.tif 000008
【図７】
2019129814.tif 000009
【図８】
2019129814.tif 000010
【図９】
2019129814.tif 000011
【図１０】
2019129814.tif 000012
【図１１】
2019129814.tif 000013
【図１２】
2019129814.tif 000014
【図１３】
2019129814.tif 000015